(57)【特許請求の範囲】
【請求項１】
天板の上方に上下方向に沿った姿勢で設置されるパネルを備えたテーブルにおいて、
前記天板の上面に互いにピッチが異なる複数対のロッド挿通孔を互いに異なる方向に沿って並設する一方、前記パネルに前記ロッド挿通孔のピッチに対応したピッチで複数対のロッド取付孔を設け、前記ロッド取付孔に取り付けた一対の支持ロッドを、対応する対のロッド挿通孔に挿入することにより、前記天板に前記パネルを支持させたことを特徴とするテーブル。
【請求項２】
対となるロッド取付孔の軸心間を結ぶ線の中点を、前記パネルの下面において長手方向の中心となる位置に合致させて形成したことを特徴とする請求項１に記載のテーブル。
【請求項３】
前記天板に通孔を形成するとともに、前記通孔の内部に支持部材を装着し、前記支持部材の上面に前記ロッド挿通孔を開口させたことを特徴とする請求項１または請求項２に記載のテーブル。
【請求項４】
前記ロッド挿通孔には、前記支持ロッドを挿入した場合にその先端面に当接して前記支持ロッドの挿入長さを規定する当接部材を設けたことを特徴とする請求項１〜請求項３のいずれか一つに記載のテーブル。
【請求項５】
前記天板の外形形状に対して相似形状となる通孔を、対応する辺が平行となるように前記天板の中央部に形成し、前記通孔の開口縁部において辺の中点となる部位及び角部にそれぞれ前記ロッド挿通孔を形成したことを特徴とする請求項１〜請求項４のいずれか一つに記載のテーブル。
【発明の詳細な説明】
【技術分野】
【０００１】
本発明は、天板の上面にパネルを備えたテーブルに関するものである。
【背景技術】
【０００２】
比較的大型のテーブルには、天板の上面を複数の作業領域に仕切るため、天板の上面にデスクトップパネルと称されるパネルを配設したものが提供されている。パネルは、支持軸を介して天板の上面から離隔した位置に立設しており、鉛直方向に沿った支持軸の軸心回りに回転することが可能である（例えば、特許文献１参照）。このテーブルによれば、パネルを回転させることで、天板の上面を異なる領域に仕切ることができ、着座位置を任意に変更できる等、使い勝手が良好なものとなる。
【先行技術文献】
【特許文献】
【０００３】
【特許文献１】特開２００８−２５９７１４号公報
【発明の概要】
【発明が解決しようとする課題】
【０００４】
ところで、上記のように天板に対してパネルを回転可能に支持したテーブルにあっては、特にパネルの左右方向寸法が大きい場合、パネルがガタ付く恐れがある。このため、特許文献１のテーブルにおいては、パネルの両端と天板の上面との間に別途支持脚を配設することにより、パネルのガタ付きを防止するようにしている。
【０００５】
しかしながら、上述のテーブルは、天板に対してパネルが回転する構成であるため、支持脚を天板に固定することができない。従って、パネルを回転させる方向に外力が作用した場合には、これに抗することが困難であり、天板に対するパネルの位置が不用意に変更される恐れがある。
【０００６】
また、パネルをガタ付くことなく取り付けるには、パネルの回転支持機構を天板に対して強固に取り付ける必要がある。このため、天板の上面を一つの作業領域として使用する場合には、強固に取り付けた回転支持機構を天板から取り外さなければならず、煩雑な作業が必須となる。しかも、再びパネルを取り付けるべく回転支持機構を元の状態に戻したとしても、取付状態によってはパネルにガタ付きを招来する恐れがある。
【０００７】
本発明は、上記実情に鑑みて、外力が作用した場合にも天板に対するパネルの位置が不用意に変更される事態を招来することなく異なる複数の向きにパネルを取り付けることができ、かつ煩雑な作業を要することなく天板の上面を一つの作業領域としても使用することのできるテーブルを提供することを目的とする。
【課題を解決するための手段】
【０００８】
上記目的を達成するため、本発明に係るテーブルは、天板の上方に上下方向に沿った姿勢で設置されるパネルを備えたテーブルにおいて、前記天板の上面に互いにピッチが異なる複数対のロッド挿通孔を互いに異なる方向に沿って並設する一方、前記パネルに前記ロッド挿通孔のピッチに対応したピッチで複数対のロッド取付孔を設け、前記ロッド取付孔に取り付けた一対の支持ロッドを、対応する対のロッド挿通孔に挿入することにより、前記天板に前記パネルを支持させたことを特徴とする。
【０００９】
また、本発明は、上述したテーブルにおいて、対となるロッド取付孔の軸心間を結ぶ線の中点を、前記パネルの下面において長手方向の中心となる位置に合致させて形成したことを特徴とする。
【００１０】
また、本発明は、上述したテーブルにおいて、前記天板に通孔を形成するとともに、前記通孔の内部に支持部材を装着し、前記支持部材の上面に前記ロッド挿通孔を開口させたことを特徴とする。
【００１１】
また、本発明は、上述したテーブルにおいて、前記ロッド挿通孔には、前記支持ロッドを挿入した場合にその先端面に当接して前記支持ロッドの挿入長さを規定する当接部材を設けたことを特徴とする。
【００１２】
また、本発明は、上述したテーブルにおいて、前記天板の外形形状に対して相似形状となる通孔を、対応する辺が平行となるように前記天板の中央部に形成し、前記通孔の開口縁部において辺の中点となる部位及び角部にそれぞれ前記ロッド挿通孔を形成したことを特徴とする。
【発明の効果】
【００１３】
本発明によれば、パネルを一対の支持ロッドによって天板に支持するようにしているため、外力が作用した場合にも天板に対するパネルの位置が不用意に変更される事態を招来する恐れがない。しかも、パネルに取り付けた支持ロッドを天板のロッド挿通孔に挿通することで、天板にパネルを取り付けるようにしているため、支持ロッドを引き抜けば天板からパネルを取り外すことができる。従って、天板の上面を一つの作業領域として使用する際に煩雑な作業を要しない。また、対となるロッド挿通孔のピッチが互いに異なるため、予めパネルに支持ロッドを取り付けておけばパネルの向きを間違えることなく天板に取り付けることが可能となる。
【００１４】
また、本発明によれば、一対の支持ロッドに均等に荷重が加わることとなり、パネルをより安定して支持することができる。
【００１５】
また、本発明によれば、天板に直接ロッド挿通孔を形成する必要がなく、天板の外観品質を向上させることができるとともに、天板を製造する際の工程を増やすことがない。
【００１６】
また、本発明によれば、ロッド挿通孔に挿入した支持ロッドの先端を当接部材に当接させれば、天板の上面に対するパネルの取付高さを規定することができる。
【００１７】
また、本発明によれば、ロッド挿通孔に支持ロッドを挿通させれば、天板の上面を均等に仕切ることができる。
【図面の簡単な説明】
【００１８】
【図１】図１は、本発明の実施の形態であるテーブルを概念的に示した側面図である。
【図２】図２は、図１に示したテーブルの斜視図である。
【図３】図３は、図１に示したテーブルの天板の要部を拡大したもので、右半部が通孔を開放した状態を示す平面図、左半部が通孔を蓋体によって覆った状態を示す平面図である。
【図４】図４は、図１に示したテーブルの天板を示す要部拡大断面側面図である。
【図５】図５は、図３におけるＡ−Ａ線断面図である。
【図６】図６は、図３におけるＢ−Ｂ線断面図である。
【図７】図７は、図１に示したテーブルに適用するパネルの断面側面図である。
【図８】図８は、図７に示したパネルの要部を示す拡大断面側面図である。
【図９】図９は、図１に示したテーブルにおいて天板に対するパネルの向きを変更した状態を示す斜視図である。
【図１０】図１０は、図１に示したテーブルにおいてパネルを取り外した状態を示す斜視図である。
【発明を実施するための形態】
【００１９】
以下、添付図面を参照しながら本発明に係るテーブルの好適な実施の形態について詳細に説明する。
【００２０】
図１及び図２は、本発明の実施の形態であるテーブルを示したものである。ここで例示するテーブルは、複数の脚体１の上端部間に平面視が正方形となる天板２を備えて構成したもので、天板２の中央部に通孔３を有している。通孔３は、上下方向に沿って形成した貫通孔であり、天板２の外径形状に対して相似形となる形状、つまり開口が正方形に形成してある。通孔３の開口縁は、それぞれ天板２の対応する端縁と平行となり、かつその中心が天板２の中心に合致している。この通孔３は、天板２の上下に配線ケーブルを通過させるための開口として機能するもので、その下方域は上端及び左右両端が開口した角筒状の箱体４によって覆ってある。
【００２１】
図３に示すように、天板２において通孔３の四隅部に位置する部位には、それぞれ蓋体支持部材１０が設けてある。蓋体支持部材１０は、平面視がほぼ正方形となる基部１１と、基部１１の隣接する２つの端縁から互いに直角となる方向に連設した支持台部１２とを有した平面視Ｌ字状を成すもので、支持台部１２をそれぞれ通孔３の各開口縁に沿わせた状態で通孔３の内部に取り付けてある。
【００２２】
蓋体支持部材１０の基部１１には、それぞれロッド挿通孔１３が形成してある。ロッド挿通孔１３は、図３及び図６に示すように、横断面が円形の開口であり、それぞれ鉛直方向に沿って形成してある。ロッド挿通孔１３の周囲においてその下方に延長した部分には、円筒状部材１４が配設してあり、かつその下端の開口が底壁部（当接部材）１５によって閉塞してある。天板２の上面から底壁部１５の上面までの距離は、それぞれの蓋体支持部材１０で互いに一致している。
【００２３】
また、天板２には、図３に示すように、通孔３の内部において一対のロッド挿通孔１３の相互間に位置する部位に一対のロッド支持部材２０が設けてある。ロッド支持部材２０は、図３〜図５に示すように、内部にロッド挿通孔２１を有した筒状を成すロッド挿通部２２と、ロッド挿通孔２１の底面開口を閉塞する底壁部（当接部材）２３と、ロッド挿通部２２の一端部外周面から径外方向に向けて延在した取付部２４とを一体に形成したもので、ロッド挿通孔２１が通孔３の内部において鉛直方向に沿う状態で取付部２４を介して天板２の下面に取り付けてある。ロッド支持部材２０を取り付ける位置は、ロッド挿通孔２１の軸心が、蓋体支持部材１０に設けたそれぞれのロッド挿通孔１３の軸心から等距離となる位置である。天板２の上面からそれぞれの底壁部２３の上面までの距離及びロッド挿通孔２１の内径は、いずれも蓋体支持部材１０に設定したものと同一である。
【００２４】
上記のようにして通孔３の内部に設けた蓋体支持部材１０のロッド挿通孔（以下、「対角ロッド挿通孔１３」という）とロッド支持部材２０のロッド挿通孔（以下、「対辺ロッド挿通孔２１」という）とは、対角ロッド挿通孔１３の軸心間を結ぶ線の中点と対辺ロッド挿通孔２１の軸心間を結ぶ線の中点とがそれぞれ通孔３の中心に一致しており、互いに軸心間を結ぶ線を延長した場合、天板２の上面を２等分することが可能である。
【００２５】
このテーブルには、図１及び図２に示すように、天板２の上方にパネル３０を取り付けることが可能である。パネル３０は、左右方向に沿った幅が天板２の一辺と同じ長さを有した矩形の平板状を成すもので、その下面に一対の支持ロッド４０を備えている。支持ロッド４０は、図７及び図８に示すように、外周面にネジ溝を有した締結部４０ａと、締結部４０ａの一方の端面から延設した第１挿入部４０ｂと、締結部４０ａの他方の端面から延設した第２挿入部４０ｃとを有し、これらを互いに軸心を合致させて構成したものである。
【００２６】
この支持ロッド４０は、パネル３０に設けたロッド取付孔３１に第１挿入部４０ｂを挿入させた後、締結部４０ａを螺合させることにより、第２挿入部４０ｃを下面から突出させた状態でパネル３０に着脱可能に取り付けてある。支持ロッド４０の第２挿入部４０ｃは、その外径が蓋体支持部材１０に設けたロッド挿通孔１３，２１に挿通することのできる寸法に形成してある。また、第２挿入部４０ｃの軸方向に沿った長さは、ロッド挿通孔１３，２１において天板２の上面から底壁部１５，２３の上面までの距離よりも十分に大きな寸法に形成してある。
【００２７】
ロッド取付孔３１は、支持ロッド４０の第１挿入部４０ｂを収容する収容孔部３１ａと、収容孔部３１ａの下端開口部に形成したネジ孔部３１ｂとを有して構成したもので、パネル３０の下面に開口している。本実施の形態では、互いに異なるピッチでパネル３０に２対のロッド取付孔３１が設けてある。対を成すロッド取付孔３１の中点は、いずれもパネル３０の左右方向に沿った幅の中点に合致させてある。ロッド取付孔３１の収容孔部３１ａは、パネル３０の下面から孔を直接形成することによって構成したものである。ロッド取付孔３１のネジ孔部３１ｂは、パネル３０の下面に装着したブラケット３２に形成してある。ブラケット３２には、それぞれ２つのネジ孔部３１ｂが設けてあり、互いに内側に設けたネジ孔部３１ｂの相互間隔が天板２に設けた対辺ロッド挿通孔２１のピッチに合致し、かつ互いに外側に設けたネジ孔部３１ｂの相互間距離が天板２に設けた対角ロッド挿通孔１３のピッチに合致するようにパネル３０に配設してある。
【００２８】
上記のように構成したテーブルでは、例えば、パネル３０において内側のロッド取付孔３１にそれぞれ支持ロッド４０を取り付ければ、それぞれの支持ロッド４０を天板２の対辺ロッド挿通孔２１に挿通させることができる。対辺ロッド挿通孔２１に挿通した支持ロッド４０は、個々の下端面が底壁部２３の上面に当接し、互いに挿入長さが同一となる。従って、図１及び図２に示すように、天板２の上面との間に一定の間隙を確保した状態でパネル３０を上下方向に沿った姿勢に保持させることができる。この状態においては、パネル３０が天板２の上面を２つの矩形領域に等分するように配置されることになり、例えば天板２の一つの端縁に２名ずつ着座して共同作業を行うことが可能となる。
【００２９】
一方、パネル３０において外側のロッド取付孔３１にそれぞれ支持ロッド４０を取り付ければ、それぞれの支持ロッド４０を天板２の対角ロッド挿通孔１３に挿通させることができる。対角ロッド挿通孔１３に対する支持ロッド４０の挿入長さが互いに同一になるのは先と同様である。従って、図９に示すように、天板２の上面との間に一定の間隙を確保した状態でパネル３０を上下方向に沿った姿勢に保持させることができる。この状態においては、パネル３０が天板２の上面を２つの三角領域に等分するように配置されることになり、例えば天板２の隣接する２つの端縁にそれぞれ１名ずつ着座して共同作業を行うことが可能となる。
【００３０】
ここで、上述したテーブルによれば、いずれの状態であっても、パネル３０を一対の支持ロッド４０によって天板２に支持するようにしている。従って、天板２に外力が作用した場合にも天板２に対するパネル３０の位置が不用意に変更される恐れがない。しかも、パネル３０に取り付けた支持ロッド４０がパネル３０の左右方向に沿った幅の中点に対して等距離となる位置にあるため、一対の支持ロッド４０に均等に荷重が加わることとなり、パネル３０をより安定して支持することができる。
【００３１】
さらに、パネル３０に取り付けた支持ロッド４０を天板２の対辺ロッド挿通孔２１もしくは対角ロッド挿通孔１３に挿通することで、天板２にパネル３０を取り付けるようにしているため、支持ロッド４０を引き抜けば、図１０に示すように、天板２からパネル３０を取り外すことができる。従って、天板２の上面を一つの作業領域として使用する際に煩雑な作業を要しない。
【００３２】
この場合、上述した実施の形態のテーブルでは、通孔３の四隅部に蓋体支持部材１０を設けるようにしているため、これらに蓋体５０を載置させることで、図３の左半部及び図１０に示すように、通孔３に蓋体５０を配置してこれを覆うことができる。蓋体５０は、通孔３よりも小さい寸法に形成した正方形の平板状を成し、４つの端縁部にそれぞれリップ部材５１を備えたもので、リップ部材５１を蓋体支持部材１０の支持台部１２に搭載することで通孔３を覆った位置に配置されるものである。
【００３３】
蓋体５０を配置した場合には、ロッド支持部材２０に設けた対辺ロッド挿通孔２１の開口についてもこれらを覆うことができる。従って、パネル３０を取り外した場合の天板２の外観品質を向上させることができる。
【００３４】
また、対となる対辺ロッド挿通孔２１と対角ロッド挿通孔１３とでは、互いのピッチが異なるため、予めパネル３０のロッド取付孔３１を選択して支持ロッド４０を取り付けておけば、パネル３０の向きを間違えることなく天板２に取り付けることが可能となる。
【００３５】
尚、上述した実施の形態では、平面視が正方形となる天板２を有したテーブルを例示しているが、必ずしもこれに限定されず、長方形や円形等、外形が如何なる形状の天板にも適用することは可能である。また、通孔３の形状を天板２の外形形状に合致させるようにしているが、これに限らない。
【００３６】
さらに、上述した実施の形態では、ロッド挿通孔１３，２１を直接天板２に設けていないため、天板２の外観品質を向上させることができるとともに、天板２を製造する際の工程を増やすことがなくなるが、ロッド挿通孔を直接天板に設けても構わない。また、対を成すロッド挿通孔１３，２１の数に関しても、必ずしも実施の形態に限らない。
【符号の説明】
【００３７】
１      脚体
２      天板
３      通孔
１０      蓋体支持部材
１３，２１      ロッド挿通孔
１５，２３      底壁部
２０      ロッド支持部材
３０      パネル
３１      ロッド取付孔
４０      支持ロッド
【図１】
0005572525.tif 000002
【図２】
0005572525.tif 000003
【図３】
0005572525.tif 000004
【図４】
0005572525.tif 000005
【図５】
0005572525.tif 000006
【図６】
0005572525.tif 000007
【図７】
0005572525.tif 000008
【図８】
0005572525.tif 000009
【図９】
0005572525.tif 000010
【図１０】
0005572525.tif 000011